(57)【要約】【課題】温度変化により照明ケースが膨張又は収縮して照明ケースの寸法が変化しても、安全に使用することができるエレベータの照明装置を提供する。【解決手段】照明装置１０は、乗りかご５０の天井板１１を構成する天井ケース１３に取付けられたベース１４と、ベース１４に取り付けられた細長状の照明ケース１６と、照明ケース１６内に設けられ、ベース１４により保持されている照明部２２とを備えている。このうちベース１４は、天井ケース１３に固定具１５により固定され、照明ケース１６はベース１４に一対の取付ネジ２１、２１により取付けられている。照明ケース１６は、照明部２２を覆うとともに上面が開口するケース本体１７と、ケース本体１７の両端部に設けられた一対の耳部１８、１８とを有している。また、各耳部１８には、照明ケース１６を天井板１１に固定する取付ネジ２１が挿着されるネジ孔１９が設けられており、各ネジ孔１９は、照明ケース１６の長手方向と同一方向に延びる細長形状を有している。【選択図】図２
2010100365.tif 000002
【特許請求の範囲】
【請求項１】
エレベータの乗りかごの天井板に装着されるエレベータの照明装置において、
乗りかごの天井板に取付けられた細長状の照明覆い体と、
照明覆い体に覆われる照明部と、
照明覆い体を天井板に固定する一対の取付具と、を備え、
照明覆い体は、各々が取付具に係合する一対の係合部を有し、
各取付具は、対応する係合部に対して摺動自在に係合し、照明覆い体の熱膨張時に照明覆い体が天井板に対して相対移動できることを特徴とするエレベータの照明装置。
【請求項２】
取付具は、取付ネジからなり、
照明覆い体は、照明部を覆うとともに上面が開口するケース本体と、ケース本体の両端部に設けられた一対の耳部とを有する照明ケースからなり、
各係合部は、各耳部に設けられ、対応する取付ネジが挿着されるネジ孔からなり、
各ネジ孔は照明ケースの長手方向と同一方向に延びる細長形状を有し、照明ケースの熱膨張時に照明ケースが天井板に対して相対移動できることを特徴とする請求項１に記載のエレベータの照明装置。
【請求項３】
取付ネジに、照明ケースと天井板との間の間隔を調整する支柱が装着されていることを特徴とする請求項２に記載のエレベータの照明装置。
【請求項４】
照明ケースの各耳部は水平方向に対して傾斜する傾斜面を有し、照明ケースの熱膨張時に、各取付ネジから傾斜面を介して、照明ケースに対して、照明ケースの中央に向って働く押圧力を作用させることを特徴とする請求項２または請求項３のいずれかに記載のエレベータの照明装置。
【請求項５】
各耳部のうち取付ネジが挿着されるネジ孔周辺に傾斜面を有する傾斜座金が設けられ、照明ケースの熱膨張時に、各取付ネジから傾斜座金の傾斜面を介して、照明ケースに対して、照明ケースの中央に向って働く押圧力を作用させることを特徴とする請求項２または請求項３のいずれかに記載のエレベータの照明装置。
【請求項６】
天井板に、照明ケースを挟んで、鉛直方向に延びる一対の固定板が設けられ、
照明ケースと各固定板との間に弾性体が介在され、
照明ケースの熱膨張時に照明ケースは一対の弾性体により天井板に対して常に一定の位置に保持されることを特徴とする請求項２乃至請求項５のいずれかに記載のエレベータの照明装置。
【請求項７】
エレベータの乗りかごの天井板に装着されるエレベータの照明装置において、
乗りかごの天井板に取付けられた細長状の照明覆い体と、
照明覆い体に覆われる照明部と、
照明覆い体の両端部に位置するとともに、照明覆い体と天井板との間に介在された一対の弾性体と、を備え、
各弾性体は、対応する照明覆い体の両端部に設けられ、照明覆い体の熱膨張時に照明覆い体は一対の弾性体により天井板に対して常に一定の位置に保持されることを特徴とするエレベータの照明装置。
【請求項８】
照明覆い体は、照明部を覆うとともに上面が開口するケース本体と、ケース本体の両端部に設けられた一対の耳部とを有する照明ケースからなり、
各弾性体は、対応する耳部に設けられ、照明ケースの熱膨張時に照明ケースは一対の弾性体により天井板に対して常に一定の位置に保持されることを特徴とする請求項７に記載のエレベータの照明装置。
【請求項９】
細長状の照明ケースは、ベースを介して天井板に取付けられ、
照明ケースに覆われる照明部は、ベースにより保持されることを特徴とする請求項２乃至請求項６または請求項８のいずれかに記載のエレベータの照明装置。
【発明の詳細な説明】
【技術分野】
【０００１】
本発明は、温度変化により照明ケースが膨張又は収縮して照明ケースの寸法が変化しても、安全に使用することができるエレベータの照明装置に関する。
【背景技術】
【０００２】
従来より、エレベータの照明装置として、乗りかごの天井板にベースを介して取付けられた複数の照明ケースと、各照明ケース内に設けられた照明部と、各照明ケースをベースに固定する取付ネジとを備えたものが知られている。各照明ケースは、光を透過する材料、例えばアクリル板により構成されている。
【０００３】
図１０は、従来のエレベータの照明装置の鉛直方向の断面図である。図１０に示すように、従来のエレベータの乗りかご５０の天井板１１に装着されるエレベータの照明装置１０は、乗りかご５０の天井板１１に取付けられるものであり、照明装置１０は、乗りかご５０の天井板１１にベース１４を介して取付けられた複数の照明ケース１６と、各照明ケース１６内に設けられた照明部２２と、照明ケース１６をベースに固定する取付ネジ２１と、ベース１４を天井板１１に固定する固定具１５とを備えている。各照明ケース１６の間にはふさぎ板５８が介在されている。
【発明の開示】
【発明が解決しようとする課題】
【０００４】
照明部２２が発生させる熱により、乗りかご５０の天井板１１付近の温度は変化し、アクリル板で構成されている照明ケース１６は膨張又は収縮する。照明ケース１６を取付ネジ２１によりベース１４に固定する場合、ベース１４と照明ケース１６では熱による膨張率または収縮率が異なるため、温度変化によりアクリル板からなる照明ケース１６に歪みが生じることになる。その結果、アクリル板からなる照明ケース１６に表現された意匠が歪んでしまい、意匠が見苦しくなる可能性がある。そのため従来は、温度変化によりアクリル板からなる照明ケース１６が膨張又は収縮しても、人の目ではアクリル板からなる照明ケース１６に表現された意匠の歪みを識別することができないようにするため、照明ケース１６を複数に小さく分割していた。
【０００５】
また、アクリル板からなる照明ケースが歪む問題に対処するために、天井板の下方に目地枠を固定し、目地枠の内周部に設けられた溝にアクリル板の外周部を嵌め込んでエレベータの乗りかご天井照明装置を構成している。この場合、目地枠の溝の深さと、この溝内でアクリル板の外側に画成可能な隙間の奥行寸法と、アクリル板の長辺の寸法との関係は、アクリル板が膨張しても目地枠との干渉を起こさず、かつアクリル板が収縮しても溝内から脱落しないように設定されている（特許文献１参照）。
【特許文献１】特開２００１−７２３５７号公報
【０００６】
しかしながら、特許文献１に示すエレベータの照明装置は、目地枠の溝内でアクリル板の外側に隙間が画成されているため、乗りかごが振動した場合に、目地枠の溝内でアクリル板も振動し、乗客に不安を与える可能性がある。また、温度変化によりアクリル板が膨張と収縮を繰り返すと、目地枠の溝内で、アクリル板の位置が当初に設置された位置から変化する可能性もある。
【０００７】
本発明は、このような点を考慮してなされたものであり、温度変化により照明ケースが膨張又は収縮しても安全に使用することができるエレベータの照明装置を提供することを目的とする。
【課題を解決するための手段】
【０００８】
本発明は、エレベータの乗りかごの天井板に装着されるエレベータの照明装置において、乗りかごの天井板に取付けられた細長状の照明覆い体と、照明覆い体に覆われる照明部と、照明覆い体を天井板に固定する一対の取付具と、を備え、照明覆い体は、各々が取付具に係合する一対の係合部を有し、各取付具は、対応する係合部に対して摺動自在に係合し、照明覆い体の熱膨張時に照明覆い体が天井板に対して相対移動できることを特徴とするエレベータの照明装置である。
【０００９】
本発明は、取付具は、取付ネジからなり、照明覆い体は、照明部を覆うとともに上面が開口するケース本体と、ケース本体の両端部に設けられた一対の耳部とを有する照明ケースからなり、各係合部は、各耳部に設けられ、対応する取付ネジが挿着されるネジ孔からなり、各ネジ孔は照明ケースの長手方向と同一方向に延びる細長形状を有し、照明ケースの熱膨張時に照明ケースが天井板に対して相対移動できることを特徴とするエレベータの照明装置である。
【００１０】
本発明は、取付ネジに、照明ケースと天井板との間の間隔を調整する支柱が装着されていることを特徴とするエレベータの照明装置である。
【００１１】
本発明は、照明ケースの各耳部は水平方向に対して傾斜する傾斜面を有し、照明ケースの熱膨張時に、各取付ネジから傾斜面を介して、照明ケースに対して、照明ケースの中央に向って働く押圧力を作用させることを特徴とするエレベータの照明装置である。
【００１２】
本発明は、各耳部のうち取付ネジが挿着されるネジ孔周辺に傾斜面を有する傾斜座金が設けられ、照明ケースの熱膨張時に、各取付ネジから傾斜座金の傾斜面を介して、照明ケースに対して、照明ケースの中央に向って働く押圧力を作用させることを特徴とするエレベータの照明装置である。
【００１３】
本発明は、天井板に、照明ケースを挟んで、鉛直方向に延びる一対の固定板が設けられ、照明ケースと各固定板との間に弾性体が介在され、照明ケースの熱膨張時に照明ケースは一対の弾性体により天井板に対して常に一定の位置に保持されることを特徴とするエレベータの照明装置である。
【００１４】
本発明は、エレベータの乗りかごの天井板に装着されるエレベータの照明装置において、乗りかごの天井板に取付けられた細長状の照明覆い体と、照明覆い体に覆われる照明部と、照明覆い体の両端部に位置するとともに、照明覆い体と天井板との間に介在された一対の弾性体と、を備え、各弾性体は、対応する照明覆い体の両端部に設けられ、照明覆い体の熱膨張時に照明覆い体は一対の弾性体により天井板に対して常に一定の位置に保持されることを特徴とするエレベータの照明装置である。
【００１５】
本発明は、照明覆い体は、照明部を覆うとともに上面が開口するケース本体と、ケース本体の両端部に設けられた一対の耳部とを有する照明ケースからなり、各弾性体は、対応する耳部に設けられ、照明ケースの熱膨張時に照明ケースは一対の弾性体により天井板に対して常に一定の位置に保持されることを特徴とするエレベータの照明装置である。
【００１６】
本発明は、細長状の照明ケースは、ベースを介して天井板に取付けられ、照明ケースに覆われる照明部は、ベースにより保持されることを特徴とするエレベータの照明装置である。
【発明の効果】
【００１７】
本発明によれば、照明覆い体の両端部に、照明覆い体を天井板に固定する一対の取付具に係合する一対の係合部が設けられている。各取付具は、対応する係合部に対して摺動自在に係合し、このため、照明覆い体の熱膨張時に、照明覆い体は、歪むことなく天井板に対して相対移動することができる。
また本発明によれば、一対の弾性体が、照明覆い体と天井板との間に介在されている。このことにより、照明覆い体の熱膨張時に、照明覆い体は、一対の弾性体により天井板に対して常に一定の位置に保持される。
【発明を実施するための形態】
【００１８】
第１の実施の形態
以下、図面を参照して、本発明の第１の実施の形態について説明する。図１乃至図６は、本発明の第１の実施の形態におけるエレベータの照明装置を示す図である。このうち図１は、本発明の第１の実施の形態におけるエレベータの乗りかごを示す図であり、図２は、本発明の第１の実施の形態において、天井板に装着されたエレベータの照明装置の断面を示す図である。図３は、本発明の第１の実施の形態における照明ケースを示す図であり、図４は、本発明の第１の実施の形態において、取付ネジにより照明ケースを天井板に固定した状態を示す図である。図５は、本発明の第１の実施の形態における取付ネジを示す図であり、図６は、本発明の第１の実施の形態の変形例において、天井板に装着されたエレベータの照明装置の断面を示す図である。
【００１９】
まず、図１によりエレベータの乗りかご５０の全体構成について説明する。図１に示すようにエレベータの乗りかご５０は、底面５２と、底面５２により支持される前側の側面５７と、底面５２により支持される前側の側面５７以外の３側面５１、５１、５１と、各側面５７、５１、５１、５１上に設けられた天井板１１とを備え、天井板１１にエレベータの照明装置１０が装着されている。このうち、前側の側面５７は、底面５２により支持され、この側面５７には、乗りかご５０への乗り降りの際に開閉するドア５３が開閉自在に設けられ、また、ドア５３の一側にリターンパネル５４が設けられている。さらに、ドア５３の他側に、乗りかご５０の操作を行う操作パネル５６が設けられ、ドア５３と天井板１１との間に幕板５５が設けられている。
【００２０】
次に、天井板１１および照明装置１０の構成について説明する。図２に示すように天井板１１は、対向する一対の側面５１、５１の上部に固定され、その断面がＬ字状となる対向する一対の本天井１２、１２と、本天井１２に支持されるとともにコ字状断面を有する天井ケース１３とからなる。
【００２１】
次に、図２および図３により、天井板１１に装着されるエレベータの照明装置１０について説明する。照明装置１０は、乗りかご５０の天井板１１を構成する天井ケース１３に取付けられたベース１４と、ベース１４に取り付けられた細長状の照明ケース１６と、照明ケース１６内に設けられ、ベース１４により保持されている照明部２２とを備えている。このうちベース１４は、天井ケース１３に固定具１５により固定され、照明ケース１６はベース１４に一対の取付ネジ２１、２１により取付けられている。
【００２２】
また、照明部２２は、照明ケース１６内でベース１４により保持されている２つの照明灯２２ａ、２２ａと、各照明灯２２ａをベース１４に固定する一対の固定具２２ｂ、２２ｂとからなっている。
【００２３】
次に、照明ケース１６について更に詳細に説明する。図３に示すように、照明ケース１６は、照明部２２を覆うとともに上面が開口するケース本体１７と、ケース本体１７の両端部に設けられた一対の耳部１８、１８とを有している。ケース本体１７および一対の耳部１８、１８はアクリル板から構成されている。アクリル板はその温度変化により膨張又は収縮する特性を有するため、照明灯２２ａが発する熱により、照明ケース１６は膨張することが考えられる。
【００２４】
また、各耳部１８には、照明ケース１６をベース１４に固定する取付ネジ２１が挿着されるネジ孔１９が設けられている。
【００２５】
なお、上記の構成において、照明ケース１６は照明覆い体を構成し、取付ネジ２１は取付具を構成し、ネジ孔１９は係合部を構成する。
【００２６】
図４に示すように、各耳部１８に設けられたネジ孔１９には対応する取付ネジ２１が下方から挿入され、取付ネジ２１はナット３２によりベース１４に固定されている。また、取付ネジ２１は、円筒形のネジ本体２１ｂと、ネジ本体２１ｂに連結されている円盤形のネジ頭部２１ａからなる。照明ケース１６の幅方向におけるネジ孔１９の径は、取付ネジ２１のネジ頭部２１ａの径よりも小さい。このため取付ネジ２１のネジ頭部２１ａは照明ケース１６の耳部１８を係止することができ、このことにより照明ケース１６が取付ネジ２１により支持され、照明ケース１６がベース１４に固定されている。
【００２７】
また、図４および図５に示すように、取付ネジ２１のネジ本体２１ｂには支柱３１が装着されている。このことにより、支柱３１の高さを調整することで、後述のように照明ケース１６とベース１４との間の隙間を調整することが可能となる。
【００２８】
次に、各耳部１８に設けられたネジ孔１９について説明する。各ネジ孔１９は、照明ケース１６の長手方向と同一方向に延びる細長形状を有している。この各ネジ孔１９の長手方向の長さは、温度変化時に照明ケース１６が長手方向に膨張又は収縮することにより照明ケース１６がベース１４に対して相対的に移動する距離の長さよりも長い。このことにより、後述するように、照明ケース１６の熱膨張時に照明ケース１６が天井板１１およびベース１４に対して相対移動することが可能となる。
【００２９】
次に、このような構成からなる本実施の形態の作用について説明する。まず、天井板１１に照明装置１０を取り付ける作用について説明する。
【００３０】
エレベータの乗りかご５０は天井板１１を有し、天井板１１の天井ケース１３には、固定具１５によりベース１４が固定されている。天井板１１に照明装置１０を取り付ける場合、まず、ベース１４に照明部２２を装着し、その照明部２２を覆うように、照明ケース１６をベース１４に固定する。
【００３１】
この場合、図５に示すように、支柱３１が装着された取付ネジ２１を準備する。この際、支柱３１は、その高さが、熱膨張した場合の照明ケース１６の耳部１８の高さよりも適度に高いものを選ぶ。このため、ベース１４と耳部１８との間に適度な隙間が形成され、このことにより、照明ケース１６がその高さ方向に熱膨張した場合に、耳部１８がベース１４と取付ネジ２１のネジ頭部２１ａから圧力を受けることで照明ケース１６が歪むことを防ぐことができる。また、照明ケース１６が熱膨張していない場合に、照明ケース１６とベース１４との間の間隔を、適度な間隔に保つことができる。
【００３２】
次に、ケース本体１７と、一対の耳部１８、１８とを有する照明ケース１６を準備し、各耳部１８に設けられたネジ孔１９と、ベース１４に設けられた図示しないネジ孔とを位置合せする。
【００３３】
次に、照明ケース１６の各耳部１８に設けられたネジ孔１９に下方から取付ネジ２１を挿入する。この際、取付ネジ２１に装着されている支柱３１の両端部が、それぞれベース１４と取付ネジ２１のネジ頭部２１ａとに当接した状態で、取付ネジ２１がネジ孔１９に挿入される。次に、取付ネジ２１のネジ本体２１ｂにナット３２を装着し、取付ネジ２１をベース１４に固定する。このことにより、ベース１４と取付ネジ２１のネジ頭部２１ａとの間に支柱３１を介在させておいて、取付ネジ２１をベース１４に堅固に固定することができる。これにより、取付ネジ２１のネジ頭部２１ａとベース１４との間で、照明ケース１６の耳部１８は、水平方向へ移動可能な状態で、すなわち、ベース１４と耳部１８との間に適度な隙間が形成された状態で保持される。
【００３４】
次に、温度上昇により照明ケース１６が長手方向に熱膨張した場合の作用について説明する。
【００３５】
照明ケース１６の温度が上昇すると、照明ケース１６はその長手方向に膨張する。この場合、照明ケース１６の各耳部１８は、それぞれ照明ケース１６の長手方向の外方に向って、照明ケース１６の熱膨張に対応してベース１４に対して相対移動する。
【００３６】
ところで、各ネジ孔１９は照明ケース１６の長手方向と同一方向に延びる細長形状を有している。このため、照明ケース１６がその長手方向に対して膨張したとしても、ベース１４に固定されている取付ネジ２１はネジ孔１９の端面１９ａと干渉することなく、照明ケース１６は、その長手方向の外方に向って、照明ケース１６の熱膨張に対応する位置までベース１４に対して相対移動することができる。このことにより、照明ケース１６は、照明ケース１６の熱膨張時、歪むことなくベース１４に対して相対移動することができる。
【００３７】
このように本実施の形態によれば、照明ケース１６を固定する一対の取付ネジ２１が装着される各ネジ孔１９は、照明ケース１６の長手方向と同一方向に延びる細長形状を有している。このため、照明ケース１６の熱膨張時、ベース１４に固定されている取付ネジ２１はネジ孔１９の端面１９ａと干渉することがない。このことにより、照明ケース１６は、照明ケース１６の熱膨張時、歪むことなく天井板１１およびベース１４に対して相対移動することができる。
【００３８】
また本実施の形態によれば、取付ネジ２１に、照明ケース１６とベース１４との間の間隔を調整する支柱３１が装着されている。このため、所望長さの支柱３１を選択することにより、ベース１４と照明ケース１６との間の距離を適宜変化させることができるとともに、照明ケース１６の耳部１８を、耳部１８が水平方向へ移動可能な状態で、すなわち、ベース１４と耳部１８との間に適度な隙間が形成された状態で保持することができる。
【００３９】
なお、本実施の形態において、照明ケース１６は、ベース１４を介して天井板１１に取付けられ、照明ケース１６内の照明部２２は、ベース１４により保持される例を示した。しかしながら、これに限られることはなく、照明ケース１６を天井板１１に直接に取付けるとともに、照明部２２を天井板１１により保持して固定してもよい。
【００４０】
次に図６により本発明の第１の実施の形態の変形例について説明する。すなわち、図６に示すように、図１乃至図５に示す第１の実施の形態におけるエレベータの照明装置１０が、更に、ベース１４に固定されるとともに照明ケース１６を挟んで設けられた一対の固定板３７、３７と、照明ケース１６と各固定板３７との間に介在された一対の補助弾性体（弾性体）３５、３５とを備えていてもよい。図６に示すように、各固定板３７は、ベース１４に固定されかつ鉛直方向下方に延びている。なお、図６において、図１乃至図５に示す第１の実施の形態と同一部分には同一符号を付して詳細な説明は省略する。
【００４１】
図６において照明装置１０は、ベース１４と、ベース１４に取り付けられた細長状の照明ケース１６と、照明ケース１６内に設けられ、ベースに装着された照明部２２と、ベース１４に固定されるとともにベース１４を挟んで設けられ鉛直方向に延びる一対の固定板３７、３７と、照明ケース１６と各固定板３７との間に介在された一対の補助弾性体３５、３５とを備えている。このうちベース１４は、天井ケース１３に固定具１５により固定され、照明ケース１６はベース１４に一対の取付ネジ２１、２１により取付けられている。また、固定板３７の一端は、ベース１４に固定具３８により固定され、固定板３７の他端側に、補助弾性体３５の一端が固定具３９により連結されている。補助弾性体３５の他端は、図示しない取付け具により照明ケース１６に取付けられている。
【００４２】
補助弾性体３５は、復元力を発揮するものであれば特に限定はないが、例えばコイルばねやゴム製弾性体などが挙げられる。
【００４３】
次に、図６において温度上昇により照明ケース１６が長手方向に熱膨張した場合の作用について説明する。
【００４４】
照明ケース１６の温度が上昇すると、照明ケース１６はその長手方向に対して膨張する。この場合、照明ケース１６の各耳部１８は、それぞれ照明ケース１６の長手方向の外方に向って、照明ケース１６の熱膨張に対応してベース１４に対して相対移動しようとする。
【００４５】
このとき、ベース１４に固定された一対の固定板３７と照明ケース１６との間に補助弾性体３５が介在されているので、常時照明ケース１６は両側から一対の補助弾性体３５により均等に内方へ抑圧される。このことにより、照明ケース１６は、照明ケース１６の熱膨張時、天井板１１およびベース１４に対して常に一定の位置に保持されることになる。
【００４６】
このように本変形例によれば、ベース１４に鉛直方向に延びる一対の固定板３７、３７が固定され、各固定板３７と照明ケース１６との間に補助弾性体３５が、介在されている。このため、照明ケース１６は、両側から一対の補助弾性体３５により均等に内方へ常に抑圧される。このことにより、照明ケース１６は、照明ケース１６の熱膨張時、天井板１１およびベース１４に対して常に一定の位置に保持されることになる。
【００４７】
第２の実施の形態
次に、図７および図８を参照して、本発明の第２の実施の形態について説明する。ここで、図７は、本発明の第２の実施の形態において、天井板に装着されたエレベータの照明装置の断面を示す図であり、図８は、本発明の第２の実施の形態の変形例において、天井板に装着されたエレベータの照明装置の断面を示す図である。
【００４８】
図７に示す第２の実施の形態は、照明ケース１６の耳部１８が水平方向に対して傾斜する傾斜面１８ａを有している点が第１の実施の形態と異なるのみであり、他の構成は、図１乃至図６に示す第１の実施の形態と略同一である。図７に示す第２の実施の形態において、図１乃至図６に示す第１の実施の形態と同一部分には同一符号を付して詳細な説明は省略する。
【００４９】
図７に示すように、照明装置１０は、ベース１４と、ベース１４に取り付けられた細長状の照明ケース１６と、照明ケース１６内に設けられ、ベース１４に装着された照明部２２とを備えている。このうちベース１４は、天井ケース１３に固定具１５により固定され、照明ケース１６はベース１４に一対の取付ネジ２１、２１により取付けられている。
【００５０】
また、照明ケース１６は、照明部２２を覆うとともに上面が開口するケース本体１７と、ケース本体１７の両端部に設けられた一対の耳部１８、１８とを有している。照明ケース１６の耳部１８の底面は、水平方向に対して、耳部１８の端部に向って上方に傾斜する傾斜面１８ａからなる。
【００５１】
また、各耳部１８には、照明ケース１６をベース１４に固定する取付ネジ２１が装着されるネジ孔１９が設けられている。この場合、取付ネジ２１のネジ頭部２１ａが照明ケース１６の耳部１８を傾斜面１８ａに沿って係止することで、照明ケース１６が取付ネジ２１により支持され、照明ケース１６がベース１４に固定されている。
また、各ネジ孔１９は、照明ケース１６の長手方向と同一方向に延びる細長形状を有している。
【００５２】
なお、上記の構成において、照明ケース１６、各耳部１８、各ネジ孔１９は、照明ケース１６の長手方向における中央部を挟んで対称となるように構成されている。
【００５３】
次に、温度上昇により照明ケース１６が熱膨張した場合の作用について説明する。
【００５４】
照明ケース１６の温度が上昇すると、照明ケース１６はその長手方向に膨張する。この場合、照明ケース１６の各耳部１８は、それぞれ照明ケース１６の長手方向の外方に向って、照明ケース１６の熱膨張に対応してベース１４に対して相対移動する。
【００５５】
ところで、各ネジ孔１９は照明ケース１６の長手方向と同一方向に延びる細長形状を有している。このため、照明ケース１６がその長手方向に対して膨張したとしても、ベース１４に固定されている取付ネジ２１はネジ孔１９の端面１９ａと干渉することがない。このため、照明ケース１６は、その長手方向の外方に向って、照明ケース１６の熱膨張に対応する位置までベース１４に対して相対移動することができる。このことにより、照明ケース１６は、照明ケース１６の熱膨張時、歪むことなくベース１４に対して相対移動することができる。
【００５６】
また、照明ケース１６の耳部１８の底面は、水平方向に対して、耳部１８の端部に向って上方に傾斜する傾斜面１８ａとなっている。このため、照明ケース１６の熱膨張時に、各取付ネジ２１から対応する耳部１８に対し、傾斜面１８ａを介して、照明ケース１６の中央部に向う押圧力が働く。このように、一方の耳部１８および他方の耳部１８から、照明ケース１６に対して、照明ケース１６の中央部に向う押圧力が働くので、照明ケース１６の熱膨張時に、照明ケース１６をベース１４に対して常に一定の位置に保持することができる。
【００５７】
このように本実施の形態によれば、照明ケース１６を固定する一対の取付ネジ２１が装着される各ネジ孔１９は、照明ケース１６の長手方向と同一方向に延びる細長形状を有している。このため、照明ケース１６の熱膨張時、ベース１４に固定されている取付ネジ２１はネジ孔１９の端面１９ａと干渉することがない。このことにより、照明ケース１６は、照明ケース１６の熱膨張時、歪むことなく天井板１１およびベース１４に対して相対移動することができる。
【００５８】
また本実施の形態によれば、照明ケース１６の耳部１８の底面は、水平方向に対して、耳部１８の端部に向って上方に傾斜する傾斜面１８ａとなっている。このため、照明ケース１６の熱膨張時に、各取付ネジ２１から対応する耳部１８に対し、傾斜面１８ａを介して、照明ケース１６の中央部に向う押圧力が働く。このように、一方の耳部１８および他方の耳部１８から、照明ケース１６に対して、照明ケース１６の中央部に向う押圧力が働くので、照明ケース１６の熱膨張時に、照明ケース１６をベース１４に対して常に一定の位置に保持することができる。
【００５９】
なお、本実施の形態において、照明ケース１６は、ベース１４を介して天井板１１に取付けられ、照明ケース１６内の照明部２２は、ベース１４により保持される例を示した。しかしながら、これに限られることはなく、照明ケース１６を天井板１１に直接に取付けるとともに、照明部２２を天井板１１により保持して固定してもよい。
【００６０】
次に図８により本発明の第２の実施の形態の変形例について説明する。すなわち、図７に示す第２の実施の形態において、照明ケース１６の耳部１８が水平方向に対して傾斜する傾斜面１８ａを有している例を示したが、これに限られず、図８に示すように、耳部１８のうち取付ネジ２１が挿着されるネジ孔１９周辺に傾斜面３４ａを有する傾斜座金３４を設けてもよい。なお、図８に示す第２の実施の形態の変形例において、図７に示す第２の実施の形態と同一部分には同一符号を付して詳細な説明は省略する。
【００６１】
図８に示すように、照明ケース１６は、照明部２２を覆うとともに上面が開口するケース本体１７と、ケース本体１７の両端部に設けられた一対の耳部１８、１８とを有している。各耳部１８には、照明ケース１６をベース１４に固定する取付ネジ２１が挿着されるネジ孔１９が設けられている。
【００６２】
各ネジ孔１９周辺には、水平方向に対して、耳部１８の端部に向って上方に傾斜する傾斜面３４ａを有する傾斜座金３４が設けられている。傾斜座金３４の底面（傾斜面３４ａ）は取付ネジ２１のネジ頭部２１ａに当接し、傾斜座金３４の上面は耳部１８の底面に当接している。この場合、取付ネジ２１のネジ頭部２１ａが傾斜座金３４を傾斜面３４ａに沿って係止することで、照明ケース１６が傾斜座金３４により支持され、照明ケース１６がベース１４に固定されている。
また、各ネジ孔１９は、照明ケース１６の長手方向と同一方向に延びる細長形状を有している。
【００６３】
次に、温度上昇により照明ケース１６が熱膨張した場合の作用について説明する。
【００６４】
照明ケース１６の温度が上昇すると、照明ケース１６はその長手方向に膨張する。この場合、照明ケース１６の各耳部１８は、それぞれ照明ケース１６の長手方向の外方に向って、照明ケース１６の熱膨張に対応してベース１４に対して相対移動する。
【００６５】
ところで、各ネジ孔１９は照明ケース１６の長手方向と同一方向に延びる細長形状を有している。このため、照明ケース１６がその長手方向に対して膨張したとしても、ベース１４に固定されている取付ネジ２１はネジ孔１９の端面１９ａと干渉することがない。このため、照明ケース１６は、その長手方向の外方に向って、照明ケース１６の熱膨張に対応する位置までベース１４に対して相対移動することができる。このことにより、照明ケース１６は、照明ケース１６の熱膨張時、歪むことなくベース１４に対して相対移動することができる。
【００６６】
また、各ネジ孔１９周辺には、水平方向に対して、耳部１８の端部に向って上方に傾斜する傾斜面３４ａを有する傾斜座金３４が設けられている。このため、照明ケース１６の熱膨張時に、各取付ネジ２１から対応する耳部１８に対し、傾斜座金３４の傾斜面３４ａを介して、照明ケース１６の中央部に向う押圧力が働く。このように、一方の耳部１８および他方の耳部１８から、照明ケース１６に対して、照明ケース１６の中央部に向う押圧力が働くので、照明ケース１６の熱膨張時に、照明ケース１６をベース１４に対して常に一定の位置に保持することができる。
【００６７】
このように本変形例によれば、照明ケース１６を固定する一対の取付ネジ２１が装着される各ネジ孔１９は、照明ケース１６の長手方向と同一方向に延びる細長形状を有している。このため、照明ケース１６の熱膨張時、ベース１４に固定されている取付ネジ２１はネジ孔１９の端面１９ａと干渉することがない。このことにより、照明ケース１６は、照明ケース１６の熱膨張時、歪むことなく天井板１１およびベース１４に対して相対移動することができる。
【００６８】
また本変形例によれば、各ネジ孔１９周辺には、水平方向に対して、耳部１８の端部に向って上方に傾斜する傾斜面３４ａを有する傾斜座金３４が設けられている。このため、照明ケース１６の熱膨張時に、各取付ネジ２１から対応する耳部１８に対し、傾斜座金３４の傾斜面３４ａを介して、照明ケース１６の中央部に向う押圧力が働く。このように、一方の耳部１８および他方の耳部１８から、照明ケース１６に対して、照明ケース１６の中央部に向う押圧力が働くので、照明ケース１６の熱膨張時に、照明ケース１６をベース１４に対して常に一定の位置に保持することができる。
【００６９】
第３の実施の形態
次に、図９を参照して、本発明の第３の実施の形態について説明する。ここで、図９は、本発明の第３の実施の形態において、天井板に装着されたエレベータの照明装置の断面を示す図である。
【００７０】
図９に示す第３の実施の形態は、照明ケース１６の耳部１８が、取付ネジ２１が挿着されるネジ孔１９を有する代わりに、照明ケース１６の両端部に、照明ケース１６とベース１４との間に位置する一対の弾性体４１、４１を設けた点が異なるのみであり、他の構成は、図１乃至図６に示す第１の実施の形態と略同一である。図９に示す第３の実施の形態において、図１乃至図６に示す第１の実施の形態と同一部分には同一符号を付して詳細な説明は省略する。
【００７１】
図９に示すように、照明装置１０は、ベース１４と、ベース１４に取り付けられた細長状の照明ケース１６と、照明ケース１６内に設けられ、ベースに装着された照明部２２と、照明ケース１６の両端部に位置するとともに、照明ケース１６とベース１４との間に介在された一対の弾性体４１、４１とを備えている。照明ケース１６は、照明部２２を覆うとともに上面が開口するケース本体１７と、ケース本体１７の両端部に設けられた一対の耳部１８、１８とを有している。各弾性体４１の一端４１ａは、照明ケース１６の対応する耳部１８に、ネジ４２ａにより固定されており、各弾性体４１の他端４１ｂは、各々ベース１４の底面に、ネジ４２ｂにより固定されている。各弾性体４１は、照明ケース１６の重力により、下方に向って伸びている。このため照明ケース１６は、照明ケース１６にかかる重力と各弾性体４１の復元力が吊り合う位置において、各弾性体４１により支持されている。
【００７２】
弾性体４１は、復元力を発揮するものであれば特に限定はないが、例えばコイルばねやゴム製弾性体などが挙げられる。
【００７３】
次に、温度上昇により照明ケース１６が長手方向に熱膨張した場合の作用について説明する。
【００７４】
照明ケース１６の温度が上昇すると、照明ケース１６はその長手方向に対して膨張する。この場合、照明ケース１６の各耳部１８は、それぞれ照明ケース１６の長手方向の外方に向って、照明ケース１６の熱膨張に対応してベース１４に対して相対移動しようとする。
【００７５】
このとき、照明ケース１６の両端の各耳部１８とベース１４との間に一対の弾性体４１、４１が介在されているので、熱膨張時に、各耳部１８は対応する弾性体４１から均等に張力を受け、この結果、各耳部１８はベース１４に対して均一に外方へ変位する。このことにより、照明ケース１６は、照明ケース１６の熱膨張時、天井板１１およびベース１４に対して常に一定の位置に保持されることになる。
【００７６】
このように本実施の形態によれば、一対の弾性体４１、４１が、照明ケース１６の両端の各耳部１８とベース１４との間に介在されている。このため、照明ケース１６の両端の各耳部１８は対応する弾性体４１から均等に張力を受け、この結果、各耳部１８はベース１４に対して均一に外方へ変位する。このことにより、照明ケース１６は、照明ケース１６の熱膨張時、天井板１１およびベース１４に対して常に一定の位置に保持されることになる。
【００７７】
なお、本実施の形態において、照明ケース１６は、ベース１４を介して天井板１１に取付けられ、照明ケース１６内の照明部２２は、ベース１４により保持される例を示した。しかしながら、これに限られることはなく、照明ケース１６を天井板１１に直接に取付けるとともに、照明部２２を天井板１１により保持して固定してもよい。
【図面の簡単な説明】
【００７８】
【図１】図１は、本発明の第１の実施の形態におけるエレベータの乗りかごを示す図。
【図２】図２は、本発明の第１の実施の形態において、天井板に装着されたエレベータの照明装置の断面を示す図。
【図３】図３は、本発明の第１の実施の形態における照明ケースを示す図。
【図４】図４は、本発明の第１の実施の形態において、取付ネジにより照明ケースを天井板に固定した状態を示す図。
【図５】図５は、本発明の第１の実施の形態における取付ネジを示す図。
【図６】図６は、本発明の第１の実施の形態の変形例において、天井板に装着されたエレベータの照明装置の断面を示す図。
【図７】図７は、本発明の第２の実施の形態において、天井板に装着されたエレベータの照明装置の断面を示す図。
【図８】図８は、本発明の第２の実施の形態の変形例において、天井板に装着されたエレベータの照明装置の断面を示す図。
【図９】図９は、本発明の第３の実施の形態において、天井板に装着されたエレベータの照明装置の断面を示す図。
【図１０】図１０は、従来のエレベータの照明装置の断面を示す図。
【符号の説明】
【００７９】
１０    照明装置
１１    天井板
１２    本天井
１３    天井ケース
１４    ベース
１５    固定具
１６    照明ケース
１７    ケース本体
１８    耳部
１８ａ  傾斜面
１９    ネジ孔
１９ａ  端面
２１    ネジ
２１ａ  ネジ頭部
２１ｂ  ネジ本体
２２    照明部
２２ａ  照明灯
２２ｂ  固定具
３１    支柱
３２    ナット
３４    傾斜座金
３４ａ  傾斜面
３５    補助弾性体
３７    固定板
３８    固定具
３９    固定具
４１    弾性体
４１ａ  一端
４１ｂ  他端
４２ａ  ネジ
４２ｂ  ネジ
５０    乗りかご
５１    側面
５２    底面
５３    ドア
５４    リターンパネル
５５    幕板
５６    操作パネル
５７    側面
５８    ふざぎ板
【図１】
2010100365.tif 000003
【図２】
2010100365.tif 000004
【図３】
2010100365.tif 000005
【図４】
2010100365.tif 000006
【図５】
2010100365.tif 000007
【図６】
2010100365.tif 000008
【図７】
2010100365.tif 000009
【図８】
2010100365.tif 000010
【図９】
2010100365.tif 000011
【図１０】
2010100365.tif 000012